(57)【特許請求の範囲】
【請求項１】
浴室の衣類を乾燥させる浴室衣類乾燥装置であって、
空気を吸い込む吸込口と前記空気を吹き出す吹出口とを連通し、前記吸込口から吸い込まれた空気を前記吹出口へ導く内部流路と、
前記内部流路に設けられ、前記吸込口から吸い込まれた前記内部流路の空気に流れを発生させるファンと、
前記内部流路から分岐し、前記吸込口から吸い込まれた前記内部流路の空気の少なくとも一部を前記浴室の外部へ排出する排出経路と、
前記内部流路を流れる空気の温度を検出するセンサと、
前記内部流路を流れる空気を加熱するヒータと、
衣類乾燥運転において前記センサで検出された温度に基づいて衣類乾燥時間に対する前記ヒータの出力時間を制御する制御手段と、
を備え、
前記制御手段は、前記衣類乾燥運転を開始し前記浴室の内部の空気を排出した後に、前記センサで検出された温度に基づいて前記ヒータの出力時間を決定し、その後、前記ヒータの出力時間を第１の温風乾燥時間と第２の温風乾燥時間とに分け、前記第１の温風乾燥時間と前記第２の温風乾燥時間とのあいだに前記ヒータの出力を行わず前記浴室の内部の空気を循環させる涼風乾燥時間を設け、前記涼風乾燥時間のうちのいずれかにおいて、前記排出経路から前記浴室の外部へ排出される空気の排気量を前記第１の温風乾燥時間における前記排気量よりも増加させることを特徴とする浴室衣類乾燥装置。
【請求項２】
前記制御手段は、前記第１の温風乾燥時間が経過した後の前記涼風乾燥時間における前記排気量を、所定時間の間、前記第１の温風乾燥時間における前記排気量に維持することを特徴とする請求項１記載の浴室衣類乾燥装置。
【請求項３】
前記制御手段は、前記第１の温風乾燥時間を前記第２の温風乾燥時間よりも長い時間に設定することを特徴とする請求項１または２に記載の浴室衣類乾燥装置。
【請求項４】
前記制御手段は、前記第２の温風乾燥時間の終了と同時に前記衣類乾燥運転を完了することを特徴とする請求項１〜３のいずれか１つに記載の浴室衣類乾燥装置。
【請求項５】
前記制御手段は、前記浴室の内部の空気の排出を完了した後に、前記内部流路を流れる空気の温度を前記センサにより検出することを特徴とする請求項１〜４のいずれか１つに記載の浴室衣類乾燥装置。
【請求項６】
前記センサは、前記吸込口と前記ファンとのあいだの前記内部流路のうちで前記ファンの側に配置されたことを特徴とする請求項１〜５のいずれか１つに記載の浴室衣類乾燥装置。
【発明の詳細な説明】
【技術分野】
【０００１】
本発明の態様は、一般的に、浴室内において衣類を乾燥させる浴室衣類乾燥装置に関する。
【背景技術】
【０００２】
例えば、換気して浴室内の空気温度を浴室外と同等となるように促進し、所定時間経過時に浴室内空気の温度を検出し、浴室内空気の温度に応じて乾燥運転時間を決定する浴室暖房乾燥装置における乾燥運転制御方法がある（特許文献１）。しかし、特許文献１では、浴室内空気の温度に応じて乾燥運転時間を決定した後、その決定した乾燥運転時間の間、熱源機の出力を継続して行うと、その乾燥運転時間の後半においては、乾燥運転時間の前半と比較して、熱源機で発生した熱が衣類の乾燥には使われず、浴室の壁から浴室の外部へ逃げやすくなるという問題がある。
【先行技術文献】
【特許文献】
【０００３】
【特許文献１】特開２００２−６２０４９号公報
【発明の概要】
【発明が解決しようとする課題】
【０００４】
本発明は、かかる課題の認識に基づいてなされたものであり、省エネルギー化を図りつつ、乾燥効率を向上させることができる浴室衣類乾燥装置を提供することを目的とする。
【課題を解決するための手段】
【０００５】
第１の発明は、浴室の衣類を乾燥させる浴室衣類乾燥装置であって、空気を吸い込む吸込口と前記空気を吹き出す吹出口とを連通し、前記吸込口から吸い込まれた空気を前記吹出口へ導く内部流路と、前記内部流路に設けられ、前記吸込口から吸い込まれた前記内部流路の空気に流れを発生させるファンと、前記内部流路から分岐し、前記吸込口から吸い込まれた前記内部流路の空気の少なくとも一部を前記浴室の外部へ排出する排出経路と、前記内部流路を流れる空気の温度を検出するセンサと、前記内部流路を流れる空気を加熱するヒータと、衣類乾燥運転において前記センサで検出された温度に基づいて衣類乾燥時間に対する前記ヒータの出力時間を制御する制御手段と、を備え、前記制御手段は、前記衣類乾燥運転を開始し前記浴室の内部の空気を排出した後に、前記センサで検出された温度に基づいて前記ヒータの出力時間を決定し、その後、前記ヒータの出力時間を第１の温風乾燥時間と第２の温風乾燥時間とに分け、前記第１の温風乾燥時間と前記第２の温風乾燥時間とのあいだに前記ヒータの出力を行わず前記浴室の内部の空気を循環させる涼風乾燥時間を設け、前記涼風乾燥時間のうちのいずれかにおいて、前記排出経路から前記浴室の外部へ排出される空気の排気量を前記第１の温風乾燥時間における前記排気量よりも増加させることを特徴とする浴室衣類乾燥装置である。
【０００６】
本発明者は、衣類乾燥運転においてヒータの出力を継続して行うと、その出力時間の後半においては、その出力時間の前半と比較して、ヒータで発生した熱（浴室の内部に投入された温風の熱）が衣類の乾燥に使われず、浴室の壁を介した熱伝達により浴室の外部へ逃げやすくなるという知見を得た。言い換えれば、本発明者は、ヒータの出力を比較的長く継続して行う衣類乾燥運転の場合、ヒータの出力時間の後半では、浴室の壁と浴室の外部との温度差が大きくなりやすく、その温度差が大きくなった状態が続くため、浴室の壁に伝わった熱が浴室の外部に逃げやすくなるという知見を得た。
【０００７】
この浴室衣類乾燥装置によれば、ヒータの出力時間を第１の温風乾燥時間と第２の温風乾燥時間とに分け、第１の温風乾燥時間と第２の温風乾燥時間とのあいだに涼風乾燥時間を設けることで、ヒータの出力時間の後半における浴室の壁から浴室の外部に逃げる熱を減らすことが可能になるとともに、ヒータの出力を行わない涼風乾燥運転の涼風の流れを利用して、涼風乾燥時間を設けずにヒータの出力を継続して行う衣類乾燥運転に比べてヒータの出力時間を全体的に短縮することが可能になる。そのため、省エネルギー化を図りつつ乾燥効率の向上を図ることができる。
【０００８】
また、第２の発明は、第１の発明において、前記制御手段は、前記第１の温風乾燥時間を前記第２の温風乾燥時間よりも長い時間に設定することを特徴とする浴室衣類乾燥装置である。
【０００９】
この浴室衣類乾燥装置によれば、使用者が衣類乾燥運転を途中で取りやめて別の運転に変更したい場合でも、大部分の衣類の乾燥は終了している。そのため、使用者は、別の運転に変更しやすい。これにより、衣類の乾燥を急ぐ使用者のニーズに対応することができる。
【００１０】
また、第３の発明は、第１または第２の発明において、前記制御手段は、前記第２の温風乾燥時間の終了と同時に前記衣類乾燥運転を完了することを特徴とする浴室衣類乾燥装置である。
【００１１】
この浴室衣類乾燥装置によれば、第２の温風乾燥時間の終了が、衣類乾燥運転の完了の時間と一致している。これにより、第２の温風乾燥運転により衣類が温められ、衣類をふっくらとした状態に仕上げることができる。
【００１２】
また、第４の発明は、第１〜第３のいずれか１つの発明において、前記制御手段は、前記浴室の内部の空気の排出を完了した後に、前記内部流路を流れる空気の温度を前記センサにより検出することを特徴とする浴室衣類乾燥装置である。
【００１３】
制御手段は、浴室の内部の空気の排出が十分に終わっていないときに浴室の内部の温度をセンサにより検出すると、外気温とは大きく異なる温度として誤検知するおそれがある。これに対して、この浴室衣類乾燥装置によれば、制御手段は、浴室の内部の空気を排出した後にセンサによる温度検出を行うことで、誤検知を抑制することができる。
【００１４】
また、第５の発明は、第１〜第４のいずれか１つの発明において、前記制御手段は、前記涼風乾燥時間のうちのいずれかにおいて、前記排出経路から前記浴室の外部へ排出される空気の排気量を前記第１の温風乾燥時間における前記排気量よりも増加させることを特徴とする浴室衣類乾燥装置である。
【００１５】
この浴室衣類乾燥装置によれば、浴室の壁に蓄積された熱が少なくなった後では熱の移動量がより少ないため、ファンの回転数を増加させて空気の排出量を増加させることで衣類乾燥の促進を図ることができる。
【００１６】
また、第６の発明は、第５の発明において、前記制御手段は、前記第１の温風乾燥時間が経過した後の前記涼風乾燥時間における前記排気量を、所定時間の間、前記第１の温風乾燥時間における前記排気量に維持することを特徴とする浴室衣類乾燥装置である。
【００１７】
この浴室衣類乾燥装置によれば、熱が浴室の壁に蓄積されている間において、排気量をより少量に維持することで浴室の壁に蓄積された熱が浴室の外部に排出される量をより少量に抑えることができる。
【００１８】
また、第７の発明は、第１〜第６のいずれか１つの発明において、前記センサは、前記吸込口と前記ファンとのあいだの前記内部流路のうちで前記ファンの側に配置されたことを特徴とする浴室衣類乾燥装置である。
【００１９】
この浴室衣類乾燥装置によれば、センサは、吸込口から吸い込まれた空気の温度がより均一になりやすい部分の温度を検出する。これにより、センサは、空気の温度をより正確に検出することができ、ヒータの出力時間をより精度良く決定することができる。
【発明の効果】
【００２０】
本発明の態様によれば、省エネルギー化を図りつつ、乾燥効率を向上させることができる浴室衣類乾燥装置が提供される。
【図面の簡単な説明】
【００２１】
【図１】本発明の実施の形態にかかる浴室衣類乾燥装置が設置された浴室を表す模式的断面図である。
【図２】本実施形態にかかる浴室衣類乾燥装置の要部構成を表すブロック図である。
【図３】本実施形態にかかる他の浴室衣類乾燥装置の要部構成を表すブロック図である。
【図４】本実施形態にかかる浴室衣類乾燥装置の衣類乾燥運転を説明する模式的概念図である。
【図５】本実施形態の浴室衣類乾燥装置の具体例を例示する模式的断面図である。
【図６】本具体例の暖房運転時におけるダンパの位置を表す模式的断面図である。
【図７】本具体例の温風乾燥運転および涼風乾燥運転時のダンパの位置を表す模式的断面図である。
【図８】本具体例の換気運転時のダンパの位置を表す模式的断面図である。
【図９】本実施形態の浴室衣類乾燥装置の具体例を例示する模式的断面図である。
【図１０】本実施形態にかかる浴室衣類乾燥装置の動作の具体例を表すフローチャート図である。
【図１１】本実施形態にかかる浴室衣類乾燥装置の動作の具体例を表す模式的概略図である。
【図１２】衣類乾燥設定時間と外気温との関係におけるヒータ出力時間の一例を例示する表である。
【図１３】本実施形態にかかる浴室衣類乾燥装置の動作の具体例を表すタイミングチャート図である。
【図１４】本実施形態にかかる浴室衣類乾燥装置の動作の他の具体例を表すタイミングチャート図である。
【図１５】本実施形態にかかる浴室衣類乾燥装置の動作のさらに他の具体例を表すタイミングチャート図である。
【図１６】本実施形態にかかる浴室衣類乾燥装置の動作のさらに他の具体例を表すタイミングチャート図である。
【発明を実施するための形態】
【００２２】
以下、本発明の実施の形態について図面を参照しつつ説明する。なお、各図面中、同様の構成要素には同一の符号を付して詳細な説明は適宜省略する。  
図１は、本発明の実施の形態にかかる浴室衣類乾燥装置が設置された浴室を表す模式的断面図である。  
また、図２は、本実施形態にかかる浴室衣類乾燥装置の要部構成を表すブロック図である。  
また、図３は、本実施形態にかかる他の浴室衣類乾燥装置の要部構成を表すブロック図である。  
また、図４は、本実施形態にかかる浴室衣類乾燥装置の衣類乾燥運転を説明する模式的概念図である。  
なお、図２および図３に表したブロック図は、風路系統と電気系統とを併せて表している。
【００２３】
図１に表したように、本実施形態にかかる浴室衣類乾燥装置１００は、浴室１０の天井１１などに設置されている。本実施形態にかかる浴室衣類乾燥装置１００は、例えば、ヒータの出力を行い浴室１０の内部に温風を送る「温風乾燥運転」と、浴室１０の内部の空気を換気する「換気運転」と、浴室１０の内部の空気を暖める「暖房運転」と、ヒータの出力を行わず浴室１０の内部に空気を送る「涼風乾燥運転」と、を実行することができる。
【００２４】
本実施形態にかかる浴室衣類乾燥装置１００は、例えば、浴室１０のみの換気を行う「１ファンタイプ」などと呼ばれる浴室衣類乾燥装置１００ａと、浴室１０と浴室１０に隣接する洗面所やトイレなどとの換気を行う「２ファンタイプ」などと呼ばれる浴室衣類乾燥装置１００ｂと、に分類される。
【００２５】
図２に表したように、「１ファンタイプ」の浴室衣類乾燥装置１００ａは、内部流路１２５と、センサ１３１と、ファン１３３と、ダンパ１３５と、ヒータ１３７と、排出経路１２７と、制御手段１１０と、を備える。
【００２６】
内部流路１２５は、空気を吸い込む吸込口１２１と空気を吹き出す吹出口１２３とを連通し、吸込口１２１から吸い込まれた空気を吹出口１２３へ導くことができる。ファン１３３は、内部流路１２５に設けられている。ファン１３３は、吸込口１２１から空気を吸い込み、吸込口１２１から吸い込まれた内部流路１２５の空気に流れを発生させる。ダンパ１３５は、適宜駆動することにより、ファン１３３から送られてきた空気を吹出口１２３へ向かう内部流路１２５へ送る割合と、排出経路１２７へ送る割合と、を変更する。排出経路１２７は、ダンパ１３５において内部流路１２５から分岐し、吸込口１２１から吸い込まれた内部流路１２５の空気の少なくとも一部を浴室１０の外部へ排出する。センサ１３１は、内部流路１２５を流れる空気の温度を検出することができる。制御手段１１０は、ファン１３３と、ダンパ１３５と、ヒータ１３７と、の動作を制御することができる。
【００２７】
一方、「２ファンタイプ」の浴室衣類乾燥装置１００ｂは、「１ファンタイプ」の浴室衣類乾燥装置１００ａが１つのファン１３３を備えるのに対して、２つのファンを備える。すなわち、図３に表したように、「２ファンタイプ」の浴室衣類乾燥装置１００ｂは、循環用ファン１３３ａと、換気用ファン１３３ｂと、を備える。循環用ファン１３３ａは、内部流路１２５に設けられ、「温風乾燥運転」、「暖房運転」、および「涼風乾燥運転」を実行する場合に用いられる。循環用ファン１３３ａは、吸込口１２１から空気を吸い込み、吸込口１２１から吸い込まれた内部流路１２５の空気に流れを発生させる。換気用ファン１３３ｂは、ダンパ１３５よりも下流側の排出経路１２７に設けられている。換気用ファン１３３ｂは、ダンパ１３５の開口部から空気を吸い込み、ダンパ１３５の開口部から吸い込まれた排出経路１２７の空気に流れを発生させる。その他の要部構成は、図２に関して前述した「１ファンタイプ」の浴室衣類乾燥装置１００ａの要部構成と同様である。
【００２８】
ここで、浴室衣類乾燥装置１００は、「温風乾燥運転」を実行する場合には、図１に表した矢印Ａ１のように例えば浴室１０の図示しないドアのガラリなどから空気を吸い込むとともに、吸込口１２１から内部流路１２５へ空気を吸い込む。そして、図１に表した矢印Ａ２のように、浴室衣類乾燥装置１００は、吸込口１２１から吸い込まれた内部流路１２５の空気の一部をヒータ１３７により暖められた空気（温風）として浴室１０の内部に送り込む。また、図１に表した矢印Ａ５のように、浴室衣類乾燥装置１００は、吸込口１２１から吸い込まれた内部流路１２５の空気の他の一部を浴室１０の外部へ排出し、浴室１０の内部の空気を換気する。
【００２９】
浴室１０の内部に送り込まれた温風の熱は、図１に表した矢印Ａ３および矢印Ａ４のように衣類２１を乾燥させるために用いられたり、図１に表した矢印Ａ５のように浴室衣類乾燥装置１００の換気運転により浴室１０の外部へ排出されたり、浴室１０の壁１３を介した熱伝達により浴室１０の外部へ排出される。
【００３０】
ここで、本発明者は、衣類乾燥運転においてヒータ１３７の出力を継続して行うと、その出力時間の後半においては、その出力時間の前半と比較して、ヒータ１３７で発生した熱（浴室１０の内部に投入された温風の熱）が衣類２１の乾燥に使われず、浴室１０の壁１３を介した熱伝達により浴室１０の外部へ逃げやすくなるという知見を得た。言い換えれば、本発明者は、ヒータ１３７の出力を比較的長く継続して行う衣類乾燥運転の場合、ヒータ１３７の出力時間の後半では、浴室１０の壁１３と浴室１０の外部との温度差が大きくなりやすく、その温度差が大きくなった状態が続くため、浴室１０の壁１３に伝わった熱が浴室１０の外部に逃げやすくなるという知見を得た。例えば、本発明者は、検討の結果、衣類乾燥運転においてヒータ１３７の出力を継続して行うと、その出力時間の後半においては、浴室１０の内部に投入された温風の熱（矢印Ａ２参照）のうちの５０％以上の熱が浴室１０の壁１３を介した熱伝達（矢印Ａ６参照）により浴室１０の外部へ逃げているという知見を得た。  
なお、本願明細書において「衣類乾燥運転」とは、本実施形態にかかる浴室衣類乾燥装置１００が浴室１０の衣類２１を乾燥させる一連の運転をいうものとし、「温風乾燥運転」および「涼風乾燥運転」の少なくともいずれかを含む運転をいうものとする。
【００３１】
これに対して、本実施形態にかかる浴室衣類乾燥装置１００の制御手段１１０は、図４に表したように、ヒータ１３７の出力時間（温風乾燥時間）を第１の温風乾燥時間と第２の温風乾燥時間とに分け、第１の温風乾燥時間と第２の温風乾燥時間との間に、ヒータ１３７の出力を行わず浴室１０の空気を循環させる時間（涼風乾燥時間）を設ける。
【００３２】
これによれば、ヒータ１３７の出力時間の後半における浴室１０の壁１３から浴室１０の外部に逃げる熱を減らすことが可能になるとともに、ヒータ１３７の出力を行わない涼風乾燥運転の涼風の流れを利用して、涼風乾燥時間を設けずにヒータ１３７の出力を継続して行う衣類乾燥運転に比べてヒータ１３７の出力時間を全体的に短縮することが可能になる。そのため、省エネルギー化を図りつつ乾燥効率の向上を図ることができる。
【００３３】
次に、本実施形態にかかる浴室衣類乾燥装置１００の具体例について、図面を参照しつつ説明する。  
図５は、本実施形態の浴室衣類乾燥装置の具体例を例示する模式的断面図である。  
また、図６は、本具体例の暖房運転時におけるダンパの位置を表す模式的断面図である。  
また、図７は、本具体例の温風乾燥運転および涼風乾燥運転時のダンパの位置を表す模式的断面図である。  
また、図８は、本具体例の換気運転時のダンパの位置を表す模式的断面図である。
【００３４】
本具体例の浴室衣類乾燥装置１００ａは、図２に関して前述したいわゆる「１ファンタイプ」の浴室衣類乾燥装置である。図５〜図８に表したように、本具体例の浴室衣類乾燥装置１００ａは、筐体１０１と、内部流路１２５と、センサ１３１と、ファン１３３と、ダンパ１３５と、ヒータ１３７と、排出経路１２７と、を備える。内部流路１２５と、センサ１３１と、ファン１３３と、ダンパ１３５と、ヒータ１３７と、排出経路１２７と、は、筐体１０１の内部に設けられている。図５に表した矢印Ａ１１のように、吸込口１２１から吸い込まれた空気は、内部流路１２５およびファン１３３により吹出口１２３へ導かれる。その他の構成および構造は、図２に関して前述した如くである。
【００３５】
ここで、浴室衣類乾燥装置１００ａが「暖房運転」を実行する場合には、図６に表したように、ダンパ１３５は、排出経路１２７を塞いでいる。そのため、図６に表した矢印Ａ１２のように、吸込口１２１から吸い込まれた内部流路１２５の空気の全てが吹出口１２３へ向かう内部流路１２５へ導かれる。そして、吹出口１２３へ向かう空気は、ヒータ１３７により暖められて温風として浴室１０の内部に送り込まれる。つまり、浴室衣類乾燥装置１００ａが「暖房運転」を実行する場合には、浴室１０の内部の空気の換気は行われない。
【００３６】
また、浴室衣類乾燥装置１００ａが「温風乾燥運転」および「涼風乾燥運転」を実行する場合には、図７に表したように、ダンパ１３５は、排出経路１２７の一部を開放している。そのため、図７に表した矢印Ａ１３のように、吸込口１２１から吸い込まれた内部流路１２５の空気の一部は、排出経路１２７へ導かれ浴室１０の外部へ排出される。また、図７に表した矢印Ａ１４のように、吸込口１２１から吸い込まれた内部流路１２５の空気の他の一部は、吹出口１２３へ向かう内部流路１２５へ導かれる。つまり、浴室衣類乾燥装置１００ａが「温風乾燥運転」および「涼風乾燥運転」を実行する場合には、「温風乾燥運転」および「涼風乾燥運転」を実行するともに、吸込口１２１から吸い込まれた内部流路１２５の空気の一部を換気している。
【００３７】
そして、「温風乾燥運転」の場合には、吹出口１２３へ向かう空気は、ヒータ１３７により暖められて温風として浴室１０の内部に送り込まれる。一方で、「涼風乾燥運転」の場合には、制御手段１１０がヒータの出力を停止し、吹出口１２３へ向かう空気は、ヒータ１３７で暖められることなく涼風として浴室１０の内部に送り込まれる。
【００３８】
また、浴室衣類乾燥装置１００ａが「換気運転」を実行する場合には、図８に表したように、ダンパ１３５は、排出経路１２７を全開とし、吹出口１２３へ向かう内部流路１２５を塞いでいる。そのため、図８に表した矢印Ａ１５のように、吸込口１２１から吸い込まれた内部流路１２５の空気の全てが排出経路１２７へ導かれ浴室１０の外部へ排出される。
【００３９】
図９は、本実施形態の浴室衣類乾燥装置の具体例を例示する模式的断面図である。  
本具体例の浴室衣類乾燥装置１００ｂは、図３に関して前述したいわゆる「２ファンタイプ」の浴室衣類乾燥装置である。
【００４０】
図９に表したように、本具体例の浴室衣類乾燥装置１００ｂは、第１の筐体１０１ａと、第２の筐体１０１ｂと、内部流路１２５と、センサ１３１と、循環用ファン１３３ａと、換気用ファン１３３ｂと、ダンパ１３５と、ヒータ１３７と、排出経路１２７と、を備える。内部流路１２５と、センサ１３１と、循環用ファン１３３ａと、ヒータ１３７と、は、第１の筐体１０１ａの内部に設けられている。また、換気用ファン１３３ｂと、排出経路１２７と、は、第２の筐体１０１ｂの内部に設けられている。また、ダンパ１３５は、第１の筐体１０１ａと第２の筐体１０１ｂとの接続部に設けられている。
【００４１】
第１の筐体１０１ａと第２の筐体１０１ｂとは、図示しない接続口により互いに連通している。そのため、例えば、図９に表したダンパ１３５ｂおよびダンパ１３５ｃのように、ダンパ１３５が開いている場合には、吸込口１２１から吸い込まれた内部流路１２５の空気の少なくとも一部は、排出経路１２７へ流れることができる。その他の構成および構造は、図３に関して前述した如くである。
【００４２】
ここで、浴室衣類乾燥装置１００ｂが「暖房運転」を実行する場合には、図９に表したダンパ１３５ａのように、ダンパ１３５は、接続口および排出経路１２７を塞いでいる。そのため、図９に表した矢印Ａ２１のように、吸込口１２１から吸い込まれた内部流路１２５の空気の全てが吹出口１２３へ向かう内部流路１２５へ導かれる。その他の空気の流れは、図６に関して前述した「１ファンタイプ」の浴室衣類乾燥装置１００ａの「暖房運転」における空気の流れと同様である。
【００４３】
また、浴室衣類乾燥装置１００ｂが「温風乾燥運転」および「涼風乾燥運転」を実行する場合には、図９に表したダンパ１３５ｂのように、ダンパ１３５は、接続口および排出経路１２７の一部を開放している。そのため、吸込口１２１から吸い込まれた内部流路１２５の空気の一部は、排出経路１２７へ導かれ、第２の筐体１０１ｂに設けられた排気用接続口１２９を通して浴室１０の外部へ排出される。その他の空気の流れは、図７に関して前述した「１ファンタイプ」の浴室衣類乾燥装置１００ａの「温風乾燥運転」および「涼風乾燥運転」における空気の流れと同様である。
【００４４】
また、浴室衣類乾燥装置１００ｂが「換気運転」を実行する場合には、図９に表したダンパ１３５ｃのように、ダンパ１３５は、接続口および排出経路１２７を全開としている。そのため、吸込口１２１から吸い込まれた内部流路１２５の空気の全てが排出経路１２７へ導かれ、排気用接続口１２９を通して浴室１０の外部へ排出される。
【００４５】
なお、第２の筐体１０１ｂには、排気用接続口１２９と、吸気用接続口１２８と、が設けられている。前述したように、排出経路１２７へ導かれた空気は、排気用接続口１２９を通して浴室１０の外部へ排出される。また、浴室１０に隣接する洗面所やトイレなどから吸い込まれた空気は、吸気用接続口１２８を通して筐体１０１ｂの内部へ導かれ、換気用ファン１３３ｂおよび排出経路１２７により排気用接続口１２９を通して浴室１０の外部へ排出される。
【００４６】
次に、本実施形態にかかる浴室衣類乾燥装置１００の動作の具体例について、図面を参照しつつ説明する。  
図１０は、本実施形態にかかる浴室衣類乾燥装置の動作の具体例を表すフローチャート図である。  
また、図１１は、本実施形態にかかる浴室衣類乾燥装置の動作の具体例を表す模式的概略図である。  
また、図１２は、衣類乾燥設定時間と外気温との関係におけるヒータ出力時間の一例を例示する表である。  
なお、図１１は、衣類重量が２キログラム（ｋｇ）、外気温が１５度（℃）、衣類乾燥時間（設定時間）が８時間である場合の動作を例示する模式的概略図である。
【００４７】
まず、使用者は、衣類乾燥運転を実行する場合には、浴室１０に吊した衣類２１の重量を推測し、衣類乾燥時間を図示しないリモコンなどにより設定する（ステップＳ１０１）。図１２に表したように、例えば、使用者は、衣類２１の重量が「２ｋｇ」と推測したときには、衣類乾燥時間を「８時間」に設定する。また、例えば、使用者は、衣類２１の重量が「５ｋｇ」と推測したときには、衣類乾燥時間を「１０時間」に設定する。また、例えば、使用者は、衣類２１の重量が「７ｋｇ」と推測したときには、衣類乾燥時間を「１２時間」に設定する。
【００４８】
図１１に表した具体例では、使用者は、衣類２１の重量が「２ｋｇ」と推測し、図１２に表した表に基づいて衣類乾燥時間を「８時間（４８０分）」に設定している。
【００４９】
続いて、使用者が衣類乾燥時間を設定すると、制御手段１１０は、運転を開始し、まず、涼風乾燥運転を実行する（ステップＳ１０３）。図７に関して前述したように、浴室衣類乾燥装置１００は、「涼風乾燥運転」を実行する場合には、浴室１０の空気を循環させるとともに、浴室１０の空気の一部を換気している。このように、本実施形態にかかる浴室衣類乾燥装置１００は、衣類乾燥運転の始めに浴室１０の内部の空気を排出する。
【００５０】
続いて、図１１に表したように、制御手段１１０は、所定時間（本具体例では３０分）が経過すると（ステップＳ１０５：Ｙｅｓ）、このときの浴室１０の気温（外気温）すなわち内部流路１２５を流れる空気の温度をセンサ１３１により検出する（ステップＳ１０７）。なお、ここでいう「所定時間」とは、涼風乾燥運転が開始されてから、浴室１０の内部の空気が十分に入れ替わり、浴室１０の気温が例えば洗面所や廊下などの気温（外気温）と同等となるまでの時間をいうものとする。そして、制御手段１１０は、センサ１３１により検出された温度に基づいてヒータ１３７の出力時間を決定する（ステップＳ１０９）。
【００５１】
続いて、制御手段１１０は、ヒータ１３７の出力時間を第１の温風乾燥時間と第２の温風乾燥時間とに分ける。さらに、制御手段１１０は、第１の温風乾燥時間と第２の温風乾燥時間との間に涼風乾燥時間を設ける。
【００５２】
図１１に表した具体例では、外気温が１５℃であるため、制御手段１１０は、図１２に表した表に基づいてヒータ出力時間を「９０分」に決定している。続いて、制御手段１１０は、ヒータ出力時間の「９０分」を第１の温風乾燥時間の「６０分」と第２の温風乾燥時間の「３０分」とに分けている。さらに、制御手段１１０は、第１の温風乾燥時間と第２の温風乾燥時間との間に涼風乾燥時間の「３６０分」を設けている。なお、第１の温風乾燥時間と第２の温風乾燥時間との間の涼風乾燥時間（３６０分）は、衣類乾燥時間（４８０分）から、運転開始時の涼風乾燥時間（３０分）と、第１の温風乾燥時間（６０分）と、第２の温風乾燥時間（３０分）と、を差し引くことで算出される。
【００５３】
続いて、制御手段１１０は、第１の温風乾燥運転を実行する（ステップＳ１１１）。続いて、制御手段１１０は、第１の温風乾燥時間（本具体例では６０分）が経過すると（ステップＳ１１３：Ｙｅｓ）、第１の温風乾燥運転を終了し涼風乾燥運転を実行する（ステップＳ１１５）。これにより、ヒータ１３７の出力時間の後半における浴室１０の壁１３から浴室１０の外部に逃げる熱を減らすことが可能になるとともに、涼風乾燥運転の涼風の流れを利用して、涼風乾燥時間を設けずにヒータ１３７の出力を継続して行う衣類乾燥運転に比べてヒータ１３７の出力時間を全体的に短縮することが可能になる。そのため、省エネルギー化を図りつつ乾燥効率の向上を図ることができる。
【００５４】
続いて、制御手段１１０は、涼風乾燥時間（本具体例では３６０分）が経過すると（ステップＳ１１７：Ｙｅｓ）、涼風乾燥運転を終了し第２の温風乾燥運転を実行する（ステップＳ１１９）。続いて、制御手段１１０は、第２の温風乾燥時間（本具体例では３０分）が経過すると（ステップＳ１２１：Ｙｅｓ）、第２の温風乾燥運転を終了し衣類乾燥運転を終了（停止）する（ステップＳ１２３）。
【００５５】
本具体例によれば、第１の温風乾燥時間は、第２の温風乾燥時間よりも長い。そのため、使用者が衣類乾燥運転を途中で取りやめて別の運転に変更したい場合でも、大部分の衣類の乾燥は終了している。そのため、使用者は、別の運転に変更しやすい。これにより、衣類の乾燥を急ぐ使用者のニーズに対応することができる。
【００５６】
また、本具体例の制御手段１１０は、第２の温風乾燥時間の終了と同時に衣類乾燥運転を終了（完了）する。つまり、第２の温風乾燥時間の終了が、衣類乾燥運転の完了の時間と一致している。これにより、第２の温風乾燥運転により衣類が温められ、衣類をふっくらとした状態に仕上げることができる。
【００５７】
また、本具体例の制御手段１１０は、衣類乾燥運転の始めにおいて、浴室１０の内部の空気を排出した後に内部流路１２５を流れる空気の温度をセンサ１３１により検出する。制御手段１１０は、浴室１０の内部の空気の排出が十分に終わっていないときに浴室１０の内部の温度をセンサ１３１により検出すると、外気温とは大きく異なる温度として誤検知するおそれがある。これに対して、本具体例では、制御手段１１０は、浴室１０の内部の空気を排出した後にセンサ１３１による温度検出を行うことで、誤検知を抑制することができる。
【００５８】
また、図５および図９に表したように、センサ１３１は、吸込口１２１とファン１３３（循環用ファン１３３ａ）との間の内部流路１２５のうちでファン１３３（循環用ファン１３３ａ）の側に配置されている。そのため、センサ１３１は、吸込口１２１から吸い込まれた空気の温度がより均一になりやすい部分の温度を検出する。これにより、センサ１３１は、空気の温度をより正確に検出することができ、ヒータの出力時間をより精度良く決定することができる。
【００５９】
次に、本実施形態にかかる浴室衣類乾燥装置１００の動作の具体例について、図面を参照しつつさらに説明する。  
図１３は、本実施形態にかかる浴室衣類乾燥装置の動作の具体例を表すタイミングチャート図である。  
本具体例の浴室衣類乾燥装置１００ａは、図２に関して前述したいわゆる「１ファンタイプ」の浴室衣類乾燥装置である。
【００６０】
まず、使用者が衣類乾燥時間を設定すると、制御手段１１０は、ファン１３３の運転を開始し、ダンパ１３５の位置を「暖房運転」の位置（図６参照）から「涼風乾燥運転・温風乾燥運転」の位置（図７参照）へ変更する（タイミングｔ１）。このとき、制御手段１１０は、ヒータ１３７の出力を停止しているため、涼風乾燥運転が実行される（タイミングｔ１〜ｔ２）。これにより、衣類乾燥運転の始めに浴室１０の内部の空気が排出される。
【００６１】
続いて、所定時間が経過すると、制御手段１１０は、ヒータ１３７の出力を行う（タイミングｔ２）。これにより、第１の温風乾燥運転が実行される（タイミングｔ２〜ｔ３）。続いて、第１の温風乾燥時間が経過すると、制御手段１１０は、ヒータ１３７の出力を停止する（タイミングｔ３）。これにより、涼風乾燥運転が実行される（タイミングｔ３〜ｔ４）。そして、涼風乾燥運転の涼風の流れを利用して、ヒータ１３７の出力時間の後半における浴室１０の壁１３から浴室１０の外部に逃げる熱を減らし、衣類２１の乾燥を継続することができる。
【００６２】
続いて、涼風乾燥時間が経過すると、制御手段１１０は、ヒータ１３７の出力を再び行う（タイミングｔ４）。これにより、第２の温風乾燥運転が実行される（タイミングｔ４〜ｔ５）。続いて、第２の温風乾燥時間が経過すると、制御手段１１０は、ヒータ１３７の出力を停止し、ファン１３３の運転を停止する。また、制御手段１１０は、ダンパ１３５の位置を「涼風乾燥運転・温風乾燥運転」の位置から「暖房運転」の位置へ変更する。これにより、衣類乾燥運転が終了する。
【００６３】
図１４は、本実施形態にかかる浴室衣類乾燥装置の動作の他の具体例を表すタイミングチャート図である。  
本具体例の浴室衣類乾燥装置１００ｂは、図３に関して前述したいわゆる「２ファンタイプ」の浴室衣類乾燥装置である。
【００６４】
まず、使用者が衣類乾燥時間を設定すると、制御手段１１０は、循環用ファン１３３ａおよび換気用ファン１３３ｂの運転を開始する（タイミングｔ１１）。このとき、制御手段１１０は、ヒータ１３７の出力を停止しているため、涼風乾燥運転が実行される（タイミングｔ１１〜ｔ１２）。これにより、衣類乾燥運転の始めに浴室１０の内部の空気が排出される。
【００６５】
続いて、タイミングｔ１２〜ｔ１４における動作は、図１３に関して前述した具体例のタイミングｔ２〜ｔ４における動作と同様である。  
続いて、第２の温風乾燥時間が経過すると、制御手段１１０は、ヒータ１３７の出力を停止し、循環用ファン１３３ａおよび換気用ファン１３３ｂの運転を停止する（タイミングｔ１５）。これにより、衣類乾燥運転が終了する。
【００６６】
図１５は、本実施形態にかかる浴室衣類乾燥装置の動作のさらに他の具体例を表すタイミングチャート図である。  
本具体例の浴室衣類乾燥装置１００ａは、図２に関して前述したいわゆる「１ファンタイプ」の浴室衣類乾燥装置である。
【００６７】
まず、タイミングｔ２１〜ｔ２３における動作は、図１３に関して前述した具体例のタイミングｔ１〜ｔ３における動作と同様である。  
続いて、制御手段１１０は、第１の温風乾燥時間が経過した後の涼風乾燥運転においても、第１の温風乾燥運転におけるファン１３３の回転数を維持し、排出経路１２７から浴室１０の外部に排出される空気の排出量（排気量）を維持する（タイミングｔ２３〜ｔ２４）。これにより、熱が浴室１０の壁１３に蓄積されている間において、排気量をより少量に維持することで浴室１０の壁１３に蓄積された熱が浴室１０の外部に排出される量をより少量に抑えることができる。
【００６８】
続いて、所定時間が経過すると、制御手段１１０は、ファン１３３の回転数を増加させ、排出経路１２７から浴室１０の外部に排出される空気の排出量を第１の温風乾燥時間における排気量よりも増加させる（タイミングｔ２４）。言い換えれば、涼風乾燥運転における空気の排出量は、第１の温風乾燥運転における空気の排出量よりも多い部分を有する。これによれば、浴室１０の壁１３に蓄積された熱が少なくなった後では熱の移動量がより少ないため、ファン１３３の回転数を増加させて空気の排出量を増加させることで衣類乾燥の促進を図ることができる。
【００６９】
続いて、涼風乾燥時間が経過すると、制御手段１１０は、ヒータ１３７の出力を再び行い、ファン１３３の回転数を第１の温風乾燥運転におけるファン１３３の回転数と同等とする（タイミングｔ２５）。これにより、第２の温風乾燥運転が実行される（タイミングｔ２５〜ｔ２６）。続いて、タイミングｔ２６における動作は、図１３に関して前述した具体例のタイミングｔ５における動作と同様である。
【００７０】
図１６は、本実施形態にかかる浴室衣類乾燥装置の動作のさらに他の具体例を表すタイミングチャート図である。  
本具体例の浴室衣類乾燥装置１００ｂは、図３に関して前述したいわゆる「２ファンタイプ」の浴室衣類乾燥装置である。
【００７１】
まず、タイミングｔ３１〜ｔ３３における動作は、図１４に関して前述した具体例のタイミングｔ１１〜ｔ１３における動作と同様である。  
続いて、制御手段１１０は、第１の温風乾燥時間が経過した後の涼風乾燥運転においても、第１の温風乾燥運転における換気用ファン１３３ｂの回転数を維持し、排出経路１２７から浴室１０の外部に排出される空気の排出量を維持する（タイミングｔ３３〜ｔ３４）。これにより、図１５に関して前述した効果と同様の効果が得られる。
【００７２】
続いて、所定時間が経過すると、制御手段１１０は、換気用ファン１３３ｂの回転数を増加させ、排出経路１２７から浴室１０の外部に排出される空気の排出量を第１の温風乾燥時間における排気量よりも増加させる（タイミングｔ３４）。言い換えれば、涼風乾燥運転における空気の排出量は、第１の温風乾燥運転における空気の排出量よりも多い部分を有する。これによれば、図１５に関して前述した効果と同様の効果が得られる。
【００７３】
続いて、涼風乾燥時間が経過すると、制御手段１１０は、ヒータ１３７の出力を再び行い、換気用ファン１３３ｂの回転数を第１の温風乾燥運転における換気用ファン１３３ｂの回転数と同等とする（タイミングｔ３５）。これにより、第２の温風乾燥運転が実行される（タイミングｔ３５〜ｔ３６）。続いて、タイミングｔ３６における動作は、図１４に関して前述した具体例のタイミングｔ１５における動作と同様である。
【００７４】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、浴室衣類乾燥装置１００、１００ａ、１００ｂなどが備える各要素の形状、寸法、材質、配置などやファン、循環用ファン１３３ａ、換気用ファン１３３ｂ、およびダンパ１３５の設置形態などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００７５】
１０ 浴室、  １１ 天井、  １３ 壁、  ２１ 衣類、  １００、１００ａ、１００ｂ 浴室衣類乾燥装置、  １０１ 筐体、  １０１ａ 第１の筐体、  １０１ｂ 第２の筐体、  １１０ 制御手段、  １２１ 吸込口、  １２３ 吹出口、  １２５ 内部流路、  １２７ 排出経路、  １２８ 吸気用接続口、  １２９ 排気用接続口、  １３１ センサ、  １３３ ファン、  １３３ａ 循環用ファン、  １３３ｂ 換気用ファン、  １３５、１３５ａ、１３５ｂ、１３５ｃ ダンパ、  １３７ ヒータ
【図１】
0005953883.tif 000002
【図２】
0005953883.tif 000003
【図３】
0005953883.tif 000004
【図４】
0005953883.tif 000005
【図５】
0005953883.tif 000006
【図６】
0005953883.tif 000007
【図７】
0005953883.tif 000008
【図８】
0005953883.tif 000009
【図９】
0005953883.tif 000010
【図１０】
0005953883.tif 000011
【図１１】
0005953883.tif 000012
【図１２】
0005953883.tif 000013
【図１３】
0005953883.tif 000014
【図１４】
0005953883.tif 000015
【図１５】
0005953883.tif 000016
【図１６】
0005953883.tif 000017